(57)【要約】【課題】  ＰｏＣ通信を行った移動機間でグループ情報を共有することができるサーバ及びグループ情報配信方法を提供することを目的とする。【解決手段】  通信制御サーバ２０は、複数の移動機１１〜１５同士の通話を可能とする通信制御を行う。その後、グループ情報生成部２５は、通話した複数の通信端末を示す識別情報を含んだグループ情報を生成し、通信処理部２６は生成されたグループ情報を当該グループ情報で示された通信端末宛に配信することができる。よって、通話履歴に基づいたグループ情報を生成し、各通信端末においてはそのグループ情報を登録することができ、各通信端末においてグループ情報を共有することができ、通信端末の操作性を向上させることができる。【選択図】  図２
2008244858.tif 000002
【特許請求の範囲】
【請求項１】
複数の通信端末同士の通話を可能とする通信制御を行う通信制御手段と、
前記通信制御手段により通話した複数の通信端末を示す識別情報を含んだグループ情報を生成するグループ情報生成手段と、
前記グループ情報生成手段により生成されたグループ情報を当該グループ情報で示された通信端末宛に配信するグループ情報配信手段と、
を備える通信制御サーバ。
【請求項２】
グループ情報の生成基準を記憶する記憶手段を備え、
前記グループ情報生成手段は、前記記憶手段に記憶されている生成基準にしたがってグループ情報に含めることができる通信端末を決定し、決定した通信端末を含んだグループ情報を生成することを特徴とする請求項１に記載の通信制御サーバ。
【請求項３】
前記生成基準は、ユーザにより設定されたグループ情報の設定の可否を示すグループ化可否情報を含んでおり、
前記グループ情報生成手段は、前記グループ化可否情報にしたがって、グループ化情報を生成することを特徴とする請求項２に記載の通信制御サーバ。
【請求項４】
前記記憶手段は、グループ情報の配信の可否情報を記憶しておき、
前記グループ情報配信手段は、前記可否情報にしたがって、グループ情報を配信することを特徴とする請求項１から３のいずれか１項に記載の通信制御サーバ。
【請求項５】
請求項１または２に記載の通信制御サーバと、
前記通信制御サーバから配信されたグループ情報で示された複数の宛先を一のグループとしてアドレス帳に登録する通信端末と、
を備える通信システム。
【請求項６】
複数の通信端末同士の通話を可能とする通信制御を行う通信制御ステップと、
前記通信制御ステップにより通話した複数の通信端末を示す識別情報を含んだグループ情報を生成するグループ情報生成ステップと、
前記グループ情報生成ステップにより生成されたグループ情報を当該グループ情報で示された通信端末宛に配信するグループ情報配信ステップと、
を備えるグループ情報配信方法。
【発明の詳細な説明】
【技術分野】
【０００１】
本発明は、通信端末同士が通信を行うための通信制御サーバおよびグループ情報配信方法に関する。
【背景技術】
【０００２】
複数人と同時に通話を行うことができるサービスとしてＰｏＣ（Push to talk over Cellular）が挙げられる。このサービスを利用する際には、発信者は複数の通信相手を指定する必要がある。この指定を容易にするために、ユーザは通信相手を登録したグループ情報を予め生成しておき、通信端末はこのグループ情報を用いて発信することができる。このグループ情報の生成については、ユーザが自ら通信相手を選択してグループ情報を生成して通信端末に登録する方法のほかに、下記の特許文献１に記載されている技術が考えられている。この特許文献１には、サーバに登録されているグループ情報にユーザが手動で追加登録することが記載されている。
【特許文献１】特開２００５−１１７１９７号公報
【発明の開示】
【発明が解決しようとする課題】
【０００３】
しかしながら、上述特許文献１に記載の方法を含む上述の方法では、自動的にグループ情報が生成されることはなく、グループ情報として登録していないメンバと通話を行いたい場合には、そのメンバを含んだグループ情報を生成する必要があった。また、例えば、何人かと通話をしようとして複数人に対して発信した場合、発信先のうち着信をとった一部の者としか通話ができない場合がある。その後、その一部の者とのみ通話を行いたい場合、例えば商談などで通話していなかった人を通信相手として選択することに意味がない場合があるが、その場合、グループ情報を再度作り直すか、またはメンバをあらためて選択して発信をする必要があり、ユーザにとって大変手間のかかるものであった。
【０００４】
そこで、本発明においては、通話履歴に基づいて自動的にグループ情報を生成することができる通信制御サーバおよびグループ情報配信方法を提供することを目的とする。
【課題を解決するための手段】
【０００５】
上述の課題を解決するために、本発明の通信制御サーバは、複数の通信端末同士の通話を可能とする通信制御を行う通信制御手段と、前記通信制御手段により通話した複数の通信端末を示す識別情報を含んだグループ情報を生成するグループ情報生成手段と、前記グループ情報生成手段により生成されたグループ情報を当該グループ情報で示された通信端末宛に配信するグループ情報配信手段と、を備えている。
【０００６】
また、本発明のグループ情報配信方法は、複数の通信端末同士の通話を可能とする通信制御を行う通信制御ステップと、前記通信制御ステップにより通話した複数の通信端末を示す識別情報を含んだグループ情報を生成するグループ情報生成ステップと、前記グループ情報生成ステップにより生成されたグループ情報を当該グループ情報で示された通信端末宛に配信するグループ情報配信ステップと、を備えている。
【０００７】
また、本発明の通信システムは、上記通信制御サーバと、前記通信制御サーバから配信されたグループ情報で示された複数の宛先を一のグループとしてアドレス帳に登録する通信端末と、を備えている。
【０００８】
この発明によれば、複数の通信端末同士の通話を可能とする通信制御を行い、通話した複数の通信端末を示す識別情報を含んだグループ情報を生成し、生成されたグループ情報を当該グループ情報で示された通信端末宛に配信することができる。よって、通話履歴に基づいたグループ情報を生成し、各通信端末においてはそのグループ情報を登録することができ、各通信端末においてグループ情報を共有することができ、通信端末の創成を向上させることができる。
【０００９】
また、通信制御サーバは、グループ情報の生成基準を記憶する記憶手段をさらに備え、前記グループ情報生成手段は、前記記憶手段に記憶されている生成基準にしたがってグループ情報に含めることができる通信端末を決定し、決定した通信端末を含んだグループ情報を生成することが好ましい。
【００１０】
この発明によれば、予め記憶されているグループ情報の生成基準にしたがってグループ情報に含めることができる通信端末を決定し、決定した通信端末を含んだグループ情報を生成することができ、使い勝手のよいグループ情報を生成し、また利用することができる。
【００１１】
また、通信制御サーバにおいて記憶されている前記生成基準は、ユーザにより設定されたグループ情報の設定の可否を示すグループ化可否情報を含んでおり、前記グループ情報生成手段は、前記グループ化可否情報にしたがって、グループ化情報を生成することが好ましい。
【００１２】
この発明によれば、グループ化可否情報にしたがって、グループ化情報を生成することができ、ユーザによりグループ化の可否が決定されるため、ユーザの希望に沿ったグループ情報を生成することができ、ユーザの知らないところで、勝手にグループ化情報が生成されるということを防止することができる。
【００１３】
また、本発明の通信制御サーバの前記記憶手段は、グループ情報の配信の可否情報を記憶しておき、前記グループ情報配信手段は、前記可否情報にしたがって、グループ情報を配信することが好ましい。
【００１４】
この発明によれば、グループ情報の配信の可否情報に基づいてグループ情報の配信先を決定し、その配信先にグループ情報を配信することができ、通信履歴に基づいたグループ情報は不要と考えるユーザに対してはグループ情報の配信を行うことがないため、通信端末の操作性を向上させることができる。
【発明の効果】
【００１５】
本発明によれば、通話履歴に基づいたグループ情報を生成し、各通信端末においてはそのグループ情報を登録することができる。よって、各通信端末においてグループ情報を共有することができ、通信端末の操作性を向上させることができる。
【発明を実施するための最良の形態】
【００１６】
以下、本発明によるサーバ及びグループ情報配信方法に関する好適な実施形態について、図面を参照して詳細に説明する。なお、図面の説明においては同一要素には同一符号を付し、重複する説明を省略する。
【００１７】
図１は、本発明の好適な一実施形態である通信システム１を示す図である。図１に示す通信システム１は、携帯電話機、ＰＤＡ（PersonalDigital Assistants）、ＰＨＳ（Personal Handyphone System）等の移動機１１〜１５と、通信制御サーバ２０とから構成されている。この通信制御サーバ２０は、各移動機１１〜１５に対して中継制御を行うことで移動機１１〜１５間で同時に複数の端末と通信接続をして通話を行うことができる、いわゆるＰｏＣ通信を実現するためのＰｏＣサーバである。なお、図１においては、移動機１１〜１３がグループＡとしてのグループ情報が生成され、移動機１１、１４、１５がグループＢとしてのグループ情報が生成されていることが示されている。したがって、移動機１１のユーザがグループＡを指定して発信した場合、移動機１２および１３とＰｏＣ通信を行うことができる。グループＢを指定して発信した場合も同様である。
【００１８】
まず、本実施形態にかかる通信制御サーバ２０の構成について説明する。図２は、通信制御サーバ２０の機能ブロック図である。図２に示すように、通信制御サーバ２０は、ＴｅｍｐグループＩＤ付与部２１、ＴｅｍｐグループＩＤ提供部２２、ＴｅｍｐグループＩＤ属性保持部２３（記憶手段）、電話番号保持部２４、グループ情報生成部２５（グループ情報生成手段）、および通信処理部２６（通信制御手段、グループ情報配信手段）を含んで構成されている。
【００１９】
この通信制御サーバ２０は、図３に示されるハードウェアにより構成されている。通信制御サーバ２０は、物理的にはＣＰＵ６１、主記憶装置であるＲＡＭ６２及びＲＯＭ６３、入力デバイスであるキーボード、マウス、カメラ、マイク等の入力装置６４、移動機１１〜１５と通信するための通信部６５、ハードディスク等の補助記憶装置である情報格納部６６、ディスプレイ等の出力装置６７、として構成されている。
【００２０】
図２において説明した通信制御サーバ２０の各機能は、図３に示すＣＰＵ６１、ＲＡＭ６２等のハードウェア上に所定のコンピュータソフトウェアを読み込ませることにより、ＣＰＵ６１の制御のもとで通信部６５、入力装置６４、出力装置６７を動作させると共に、ＲＡＭ６２、ＲＯＭ６３，及び情報格納部６６におけるデータの読み出し及び書き込みを行うことで実現される。以下、通信制御サーバ２０の構成について、図２に示される機能ブロック図に基づいて説明する。
【００２１】
ＴｅｍｐグループＩＤ付与部２１は、発信先となる移動機１１〜１５が通信を開始した後に提供されるグループ情報を統括して管理するために、一時的にグループＩＤを、発信先となる移動機１１〜１５と対応付けて付与する部分である。すなわち、グループＩＤは、各移動機１１〜１５に付与されることになる。
【００２２】
ＴｅｍｐグループＩＤ提供部２２は、ＴｅｍｐグループＩＤ付与部２１により付与されたグループＩＤをＴｅｍｐグループＩＤ属性保持部２３に提供することで、ＴｅｍｐグループＩＤ属性保持部２３に記憶させる部分である。
【００２３】
ＴｅｍｐグループＩＤ属性保持部２３は、ＴｅｍｐグループＩＤ提供部２２により提供されたグループＩＤを、発信先となる移動機１１〜１５に対応付けて記憶する部分であり、発信処理が行われるごとにＴｅｍｐグループＩＤ提供部２２により生成された属性情報を記憶する。例えば、図４に示すような情報が記憶されている。図４は、ＴｅｍｐグループＩＤ属性保持部２３に記憶されている属性情報の具体例を示す説明図である。図４に示すように、このＴｅｍｐグループＩＤ属性保持部２３は、グループＩＤとして０１を記憶し、そのグループＩＤ：０１に対応付けて移動機１１〜１５を示す識別情報、例えば電話番号を記憶している。なお、図４においては、識別情報の表記については省略している。
【００２４】
上述の属性情報には、移動機１１が発信者として、移動機１２〜１５が発信先として記憶されている。図４に示すように、グループＩＤは通信制御サーバ２０においてＰｏＣ通信が発生するごとに記憶されることになり、複数のグループＩＤとそのグループＩＤに属する通信端末を示す識別情報（例えば電話番号）が記憶されることになる。
【００２５】
また、この属性情報には、移動機ごとに、通話参加有無を示す通話参加有無情報、発ユーザによる第１グループ化可否情報、および着ユーザによる第２グループ化可否情報が記憶されている。
【００２６】
通話参加有無情報には、実際の通話に参加した移動機、すなわち発信に対してその着信をとった移動機が記憶される。図４では、通話に参加した移動機を○で表し、通話に参加しなかった移動機を×で表しており、例えば移動機１１は通話参加した移動機であり、移動機１３は通話に参加しなかった移動機であることを示している。
【００２７】
発ユーザによる第１グループ化可否情報には、発ユーザ、ここでは移動機１１のユーザによりグループ情報として設定可能とされる移動機、すなわちグループ情報に含めてもよいと設定された移動機が記憶される。ここでは、グループ情報として含めてもよいと設定された移動機は、移動機１１、１２など、○で表された移動機である。×で表された移動機は、グループ情報として含めたくないと、移動機１１のユーザにより設定された移動機であり、ここでは移動機１５がグループ情報に含めたくない移動機として設定されている。
【００２８】
着ユーザによる第２グループ化可否情報には、着ユーザ、ここでは移動機１２〜１５のそれぞれのユーザから設定された情報であり、各移動機のユーザからグループ情報に含められることを一括して拒否または許諾を行うことができる情報が記憶される。ここでは、○で表された移動機については、グループ情報に含められることを許諾したことを示し、×で表された移動機についてはグループ情報に含められることを拒否したことを示している。図４では移動機１２のユーザは、グループ情報に含められることを拒否していることを示している。
【００２９】
なお、この属性情報として、上述の事項に限るものではなく、例えば、グループ情報の配信の可否を設定してもよい。これは、グループ情報として登録されても、予め指定したユーザに対してはグループ情報を送信しないようにするものである。これにより、グループ情報の自動設定を不要と考えるユーザに対してグループ情報を送ることなく、使い勝手のよいシステムを提供できる。
【００３０】
また、これら属性情報の設定は、例えば携帯電話ショップにおいてオンライン処理により設定されてもよいし、自己のパソコンを用いてインターネットを経由して設定されるようにしてもよい。また、第１・第２グループ化可否情報は、移動機ごとに予め登録されているものであり、ＴｅｍｐグループＩＤ提供部２２によりグループＩＤとともに、上述の第１・第２グループ化可否情報ならびに通話参加有無情報がＴｅｍｐグループＩＤ属性保持部２３に登録されることになる。また、グループＩＤごとにこれら情報は生成され、図４ではグループＩＤ０１−０３が登録されていることになる。
【００３１】
電話番号保持部２４は、移動機１１〜１５の電話番号を保持する部分であり、この電話番号保持部２４に記憶されている電話番号を用いて通信処理部２６はＰｏＣ通信のための接続処理を行うことになる。
【００３２】
グループ情報生成部２５は、ＴｅｍｐグループＩＤ属性保持部２３の情報に基づいてグループ情報を生成する部分である。具体的には、グループ情報生成部２５は、属性情報にしたがって、通話に参加したメンバのうち、第１・第２グループ化可否情報に基づいて、宛先となる電話番号を含んだグループ情報を生成する部分である。図４に示される属性情報に基づいてグループ情報を生成する場合、グループ情報生成部２５は、移動機１１および移動機１３を一つのグループとするグループ情報、すなわち移動機１１および移動機１３の電話番号を示すグループ情報を生成することになる。グループ情報生成部２５は、グループ情報に記述する電話番号を、ＴｅｍｐグループＩＤ属性保持部２３の属性情報に記述されている各移動機の電話番号から取得するようにしてもよいし、電話番号保持部２４から取得するようにしてもよい。
【００３３】
通信処理部２６は、ＰｏＣ通信による通信を行い、またグループ情報生成部２５により生成されたグループ情報を各移動機１１〜１５に送信する部分である。
【００３４】
つぎに、図５を参照して、本実施形態におけるグループ情報を生成するときの通信制御サーバ２０の動作について説明する。図５は、移動機１１、移動機１２および通信制御サーバ２０における動作を示すシーケンス図である。なお、本実施形態では移動機１１〜１５がＰｏＣ通信を行うときの動作を示しているが、これに限定されるものではない。
【００３５】
移動機１１において発信先が指定され、発信先を示すユーザリスト、すなわちＰｏＣ通信のためのメンバが設定される（Ｓ５０１）。設定後、移動機１１から通信制御サーバ２０に対してユーザリストが送信される（Ｓ５０２）。送信されたユーザリストは通信制御サーバ２０により受信され（Ｓ５０３）、通信制御サーバ２０により移動機１１〜１５に対してＰｏＣ通信のための接続処理が行われる（Ｓ５０４）。図５においては、移動機１２、１３、１５が着信処理を行いＰｏＣ通信のための通信接続が行われ、移動機１１〜１３、１５との間で通話が行われる（Ｓ５０５）。なお、移動機１４では着信がとられず、接続処理が行われることなく、必要に応じてタイムオーバで処理が終了することになる。
【００３６】
各移動機において通話が終了され、回線切断処理が行われると、通信制御サーバ２０において、通信処理部２６により移動機１１〜１３、１５からそれぞれ切断要求が受信される（Ｓ５０６）。そして、切断要求が受信されると、グループ情報生成部２５によりグループ情報が生成される（Ｓ５０７）。ここでは上述したとおりＴｅｍｐグループＩＤ属性保持部２３に記憶されている通話参加有無情報および第１・第２グループ化可否情報にしたがって、グループ情報生成部２５によりグループ情報が生成されることになる。上述したとおり、グループ情報は通話参加した移動機のうち、第１・第２グループ化可否情報によりグループ化が許諾されている移動機がグループ情報に含まれることになる。本実施形態では、移動機１１および１３がグループ情報に含まれる移動機として決定されることになる。
【００３７】
そして、生成されたグループ情報は、通信処理部２６により移動機１１および１３に送信される（Ｓ５０８）。移動機１１および１３では、グループ情報が受信されると（Ｓ５０９）、それぞれの移動機１１および１３内の電話帳からグループ情報に含まれている個々の電話番号を検索して、電話帳において既に登録済みか否かが検索される（Ｓ５１０）。ここで登録済みであると判断されると、グループ情報に含まれている電話番号が一つのグループであるとして電話帳に設定される。具体的には、グループＩＤと複数の電話番号が対応付けて記憶されることになり、移動機１１および１３のユーザは、グループＩＤを選択することにより複数の宛先に対して発信処理を行うことができる。
【００３８】
また、それぞれの移動機の電話帳に登録済みでなければ、登録されていない電話番号が新規に登録され、その登録後に、グループ情報に含まれている複数の電話番号はグループＩＤに対応付けて記憶されることになる（Ｓ５１１）。なお、通信制御サーバ２０に予め電話番号とユーザを示す名前情報とが記憶されており、グループ情報にはグループＩＤ、電話番号および名前情報がそれぞれ対応付けられて記述されてもよい。これにより、移動機側では電話番号と名前情報とを対応付けて一のグループに登録することができる。なお、グループ情報には当然自機の電話番号も含まれているため、グループ情報に含まれている電話番号と自機の電話番号とが一致している場合には、当該電話番号については登録しない処理をする必要がある。
【００３９】
また、グループ情報を受信した移動機１１および１３においては、自動的にグループ情報が登録されていることにしているが、それぞれのユーザにおいてグループ情報の登録の要否を選択するようにしてもよい。
【００４０】
つぎに、本実施形態に係る通信制御サーバ２０の作用効果について説明する。本実施形態の通信制御サーバ２０は、複数の移動機１１〜１５同士の通話を可能とする通信制御を行う。その後、グループ情報生成部２５は、通話した複数の通信端末を示す識別情報を含んだグループ情報を生成し、通信処理部２６は生成されたグループ情報を当該グループ情報で示された通信端末宛に配信することができる。よって、通話履歴に基づいたグループ情報を生成し、各通信端末においてはそのグループ情報を登録することができ、各通信端末においてグループ情報を共有することができ、通信端末の操作性を向上させることができる。
【００４１】
また、本実施形態の通信制御サーバ２０は、ＴｅｍｐグループＩＤ属性保持部２３に予め記憶されているグループ情報の生成基準にしたがって、グループ情報生成部２５はグループ情報に含めることができる通信端末を決定する。そして、通信処理部２６は、決定した通信端末を含んだグループ情報を生成することができ、使い勝手のよいグループ情報を生成し、また移動機側ではこれを利用することができる。
【００４２】
また、本実施形態の通信制御サーバ２０において、ＴｅｍｐグループＩＤ属性保持部２３に記憶されている属性情報で示される生成基準は、ユーザにより設定されたグループ情報の設定の可否を示すグループ化可否情報を含んでいる。そして、グループ情報生成部２５は、グループ化可否情報にしたがって、グループ化情報を生成することができる。よって、ユーザによりグループ化の可否が決定されるため、ユーザの希望に沿ったグループ情報を生成することができ、ユーザの知らないところで、勝手にグループ化情報が生成されるということを防止することができる。
【００４３】
また、本実施形態の通信制御サーバ２０は、ＴｅｍｐグループＩＤ属性保持部２３は、グループ情報の配信の可否情報を記憶しておき、通信処理部２６はこの可否情報に基づいてグループ情報の配信先を決定し、その配信先にグループ情報を配信することができる。よって、通信履歴に基づいたグループ情報は不要と考えるユーザに対してはグループ情報の配信を行うことがないため、通信端末の操作性を向上させることができる。
【図面の簡単な説明】
【００４４】
【図１】通信制御サーバ２０のシステム構成図である。
【図２】通信制御サーバ２０の機能を示すブロック構成図である。
【図３】通信制御サーバ２０のハードウェア構成図である。
【図４】ＴｅｍｐグループＩＤ属性保持部２３に記憶されている属性情報を示す説明図である。
【図５】通信制御サーバ２０の動作を示すシーケンス図である。
【符号の説明】
【００４５】
１１〜１５…移動機、２０…通信制御サーバ、２１…ＴｅｍｐグループＩＤ付与部、２２…ＴｅｍｐグループＩＤ提供部、２３…ＴｅｍｐグループＩＤ属性保持部、２４…電話番号保持部、２５…グループ情報生成部、２６…通信処理部。
【図１】
2008244858.tif 000003
【図２】
2008244858.tif 000004
【図３】
2008244858.tif 000005
【図４】
2008244858.tif 000006
【図５】
2008244858.tif 000007